【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
所定の間隔で複数のラベルが貼り付けられた記録媒体に記録を行い、前記記録媒体をラベル間で切断するオートカッタを有する記録装置と、前記記録装置と接続する情報処理装置とを含む記録システムであって、
前記情報処理装置は、
前記オートカッタのカット長を指示する指示手段と、
前記指示手段により指示されたカット長が、前記オートカッタの最小カット長未満であることに応答して、前記オートカッタの前記最小カット長以上となる位置で、前記記録媒体を切断するようにカットコマンドを発行する発行手段とを有し、
前記記録装置は、
前記発行手段から発行されたカットコマンドに従って、前記記録媒体を切断するよう前記オートカッタを制御する制御手段とを有することを特徴とする記録システム。
【請求項２】
前記発行手段は、前記指示手段により指示されたカット長が前記オートカッタの最小カット長未満であることに応答して、前記カット長に余白を追加して前記最小カット長以上となる位置で前記記録媒体の切断を行うようにカットコマンドを発行することを特徴とする請求項１に記載の記録システム。
【請求項３】
所定の間隔で複数のラベルが貼り付けられた記録媒体に記録を行い、前記記録媒体をラベル間で切断するオートカッタを有する記録装置を接続し、前記記録装置に制御指示を行う情報処理装置であって、
前記オートカッタのカット長を指示する指示手段と、
前記指示手段により指示されたカット長が前記オートカッタの最小カット長未満であることに応答して、前記オートカッタの最小カット長以上となる位置で、前記記録媒体を切断するようにカットコマンドを発行する発行手段とを有することを特徴とする情報処理装置。
【請求項４】
前記発行手段は、前記指示手段により指示されたカット長が前記オートカッタの最小カット長未満であることに応答して、前記カット長に余白を追加して前記最小カット長以上となる位置で前記記録媒体の切断を行うようにカットコマンドを発行することを特徴とする請求項３に記載の情報処理装置。
【請求項５】
前記指示手段により指示されたカット長が前記オートカッタの最小カット長未満であることに応答して、記録が行われるラベルに加えて余白のラベルを追加する旨をユーザに確認する確認手段をさらに有することを特徴とする請求項４に記載の情報処理装置。
【請求項６】
記録が行われるラベルと前記オートカッタによる切断の場所とを画面に表示する表示手段をさらに有することを特徴とする請求項３乃至５のいずれか１項に記載の情報処理装置。
【請求項７】
前記表示手段は、前記指示手段により指示されたカット長が前記オートカッタの最小カット長未満であることに応答して、記録が行われるラベルに加えて余白のラベルを表示することを特徴とする請求項６に記載の情報処理装置。
【請求項８】
前記表示手段は、前記確認手段による確認のメッセージを表示することを特徴とする請求項６又は７に記載の情報処理装置。
【請求項９】
前記オートカッタにより切断を行う切断の間隔をラベルの枚数で指定する指定手段をさらに有することを特徴とする請求項３乃至８のいずれか１項に記載の情報処理装置。
【請求項１０】
所定の間隔で複数のラベルが貼り付けられた記録媒体に記録を行い、前記記録媒体をラベル間で切断するオートカッタを有する記録装置を接続し、前記記録装置に制御指示を行う情報処理装置の記録制御方法であって、
前記オートカッタのカット長を指示する指示工程と、
前記指示工程において指示されたカット長が前記オートカッタの最小カット長未満であることに応答して、前記オートカッタの最小カット長以上となる位置で前記記録媒体を切断するようにカットコマンドを発行する発行工程とを有することを特徴とする記録制御方法。
【請求項１１】
前記発行工程は、前記指示工程において指示されたカット長が前記オートカッタの最小カット長未満であることに応答して、前記カット長に余白を追加して最小カット長以上となる位置で前記記録媒体の切断を行うようにカットコマンドを発行することを特徴とする請求項１０に記載の記録制御方法。
【請求項１２】
所定の間隔で複数のラベルが貼り付けられた記録媒体に記録を行い該記録媒体をラベル間で切断するオートカッタを有する記録装置であって、
指示された前記オートカッタのカット長が該オートカッタの最小カット長未満であることに応答して、前記オートカッタの最小カット長以上となる位置で前記記録媒体を切断するように前記オートカッタを制御する制御手段を有することを特徴とする記録装置。
【請求項１３】
前記制御手段はさらに、前記カット長に余白を追加して前記最小カット長以上となる位置で前記オートカッタにより前記記録媒体の切断を行わせることを特徴とする請求項１２に記載の記録装置。
【請求項１４】
請求項３乃至９のいずれか１項に記載の情報処理装置の各手段をコンピュータに実行させるプログラム。
【手続補正２】
【補正対象書類名】明細書
【補正対象項目名】発明の名称
【補正方法】変更
【補正の内容】
【発明の名称】記録システム、情報処理装置、記録制御方法、及び記録装置
【手続補正３】
【補正対象書類名】明細書
【補正対象項目名】０００１
【補正方法】変更
【補正の内容】
【０００１】
本発明は記録システム、情報処理装置、記録制御方法、及び記録装置に関し、特に、ロール紙を用いて記録を行う場合に記録済みのロール紙をカットするためのオートカッタを有する記録装置を含む記録システム、情報処理装置、記録制御方法、及び記録装置に関する。
【手続補正４】
【補正対象書類名】明細書
【補正対象項目名】０００７
【補正方法】変更
【補正の内容】
【０００７】
本発明は上記従来例に鑑みてなされたもので、最小カット長に未満の長さでラベルをカットしたい場合にも適切な印刷と切断が可能なオートカッタ付き記録装置を含む記録システム、情報処理装置、記録制御方法、及び記録装置を提供することを目的としている。
【手続補正５】
【補正対象書類名】明細書
【補正対象項目名】０００９
【補正方法】変更
【補正の内容】
【０００９】
即ち、所定の間隔で複数のラベルが貼り付けられた記録媒体に記録を行い、前記記録媒体をラベル間で切断するオートカッタを有する記録装置と、前記記録装置と接続する情報処理装置とを含む記録システムであって、前記情報処理装置は、前記オートカッタのカット長を指示する指示手段と、前記指示手段により指示されたカット長が、前記オートカッタの最小カット長未満であることに応答して、前記オートカッタの前記最小カット長以上となる位置で、前記記録媒体を切断するようにカットコマンドを発行する発行手段とを有し、前記記録装置は、前記発行手段から発行されたカットコマンドに従って、前記記録媒体を切断するよう前記オートカッタを制御する制御手段とを有することを特徴とする。
【手続補正６】
【補正対象書類名】明細書
【補正対象項目名】００１０
【補正方法】変更
【補正の内容】
【００１０】
また本発明を別の側面から見れば、所定の間隔で複数のラベルが貼り付けられた記録媒体に記録を行い、前記記録媒体をラベル間で切断するオートカッタを有する記録装置を接続し、前記記録装置に制御指示を行う情報処理装置であって、前記オートカッタのカット長を指示する指示手段と、前記指示手段により指示されたカット長が前記オートカッタの最小カット長未満であることに応答して、前記オートカッタの最小カット長以上となる位置で、前記記録媒体を切断するようにカットコマンドを発行する発行手段とを有することを特徴とする情報処理装置を備える。
【手続補正７】
【補正対象書類名】明細書
【補正対象項目名】００１１
【補正方法】変更
【補正の内容】
【００１１】
さらに本発明を別の側面から見れば、所定の間隔で複数のラベルが貼り付けられた記録媒体に記録を行い、前記記録媒体をラベル間で切断するオートカッタを有する記録装置を接続し、前記記録装置に制御指示を行う情報処理装置の記録制御方法であって、前記オートカッタのカット長を指示する指示工程と、前記指示工程において指示されたカット長が前記オートカッタの最小カット長未満であることに応答して、前記オートカッタの最小カット長以上となる位置で前記記録媒体を切断するようにカットコマンドを発行する発行工程とを有することを特徴とする記録制御方法を備える。
またさらに本発明を別の側面から見れば、所定の間隔で複数のラベルが貼り付けられた記録媒体に記録を行い該記録媒体をラベル間で切断するオートカッタを有する記録装置であって、指示された前記オートカッタのカット長が該オートカッタの最小カット長未満であることに応答して、前記オートカッタの最小カット長以上となる位置で前記記録媒体を切断するように前記オートカッタを制御する制御手段を有することを特徴とする記録装置を備える。